【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
交流電流が供給される少なくとも１つの誘導コイルを通ってビレットを移動させるための粘土黒鉛ビレットスライダーであって、前記ビレットが前記少なくとも１つの誘導コイルを通って移動する際に前記粘土黒鉛ビレットスライダーに着座しかつ前記粘土黒鉛ビレットスライダーとスライド接触している、粘土黒鉛ビレットスライダー。
【請求項２】
前記粘土黒鉛ビレットスライダーが、前記少なくとも１つの誘導コイル内に配置された開放端中空シリンダー、開放端部分シリンダーまたは開放端中空矩形管を備える、請求項１に記載の粘土黒鉛ビレットスライダー。
【請求項３】
前記少なくとも１つの誘導コイルがソレノイド誘導コイルを備え、前記粘土黒鉛ビレットスライダーが、前記少なくとも１つの誘導コイル内に配置された開放端中空シリンダー、開放端部分シリンダーまたは開放端中空矩形管を備える、請求項１に記載の粘土黒鉛ビレットスライダー。
【請求項４】
前記粘土黒鉛ビレットスライダーが、少なくとも
炭素（Ｃ）３０〜４０重量％、
炭化ケイ素（ＳｉＣ）８〜１２重量％、
二酸化ケイ素（ＳｉＯ2）１５〜２５重量％、および
酸化アルミニウム（Ａｌ2Ｏ3）１０〜２０重量％
のスライダー組成物を含む、請求項１、２または３のいずれか一項に記載の粘土黒鉛ビレットスライダー。
【請求項５】
前記スライダー組成物が、総計で前記スライダー組成物の６重量％を超えない、好ましくは鉄、ホウ素、ナトリウムおよびカリウムの酸化物から選択される１つ以上の酸化物、総計で前記スライダー組成物の２重量％を超えない１つ以上のマグネシウム、コバルトおよびクロム化合物、および前記スライダー組成物の１重量％を超えない元素シリコンを更に含む、請求項４に記載の粘土黒鉛ビレットスライダー。
【請求項６】
少なくとも１つの誘導コイルと、
前記少なくとも１つの誘導コイルに接続された少なくとも１つの交流電力源と、
前記少なくとも１つの誘導コイルの各々に配置された粘土黒鉛ビレットスライダーと
を備えるレールレスビレット電気誘導加熱システムであって、
前記粘土黒鉛ビレットスライダーが前記少なくとも１つの誘導コイルから電気的に絶縁され、
前記粘土黒鉛ビレットスライダーの内部表面領域が、前記少なくとも１つの誘導コイルを介して前記粘土黒鉛ビレットスライダーの内部表面領域に着座したビレットを移動させて目標温度まで前記ビレットを静的または連続的に加熱するためのビレットスライダー表面を形成する、
レールレスビレット電気誘導加熱システム。
【請求項７】
前記粘土黒鉛ビレットスライダーが、少なくとも
炭素（Ｃ）３０〜４０重量％、
炭化ケイ素（ＳｉＣ）８〜１２重量％、
二酸化ケイ素（ＳｉＯ2）１５〜２５重量％、および
酸化アルミニウム（Ａｌ2Ｏ3）１０〜２０重量％
のビレットスライダー組成物から形成される、請求項６に記載のレールレスビレット電気誘導加熱システム。
【請求項８】
前記ビレットスライダー組成物が、総計で前記ビレットスライダー組成物の６重量％を超えない、好ましくは鉄、ホウ素、ナトリウムおよびカリウムの酸化物から選択される１つ以上の酸化物、総計で前記ビレットスライダー組成物の２重量％を超えない１つ以上のマグネシウム、コバルトおよびクロム化合物、および前記ビレットスライダー組成物の１重量％を超えない元素シリコンを更に含む、請求項７に記載のレールレスビレット電気誘導加熱システム。
【請求項９】
前記少なくとも１つの誘導コイルのスライダーに面する表面と前記粘土黒鉛ビレットスライダーのコイルに面する表面との間に環状スペーサ容積が設けられる、請求項７または８に記載のレールレスビレット電気誘導加熱システム。
【請求項１０】
前記少なくとも１つの誘導コイルを移動させずに前記粘土黒鉛ビレットスライダーの軸方向縦軸を中心に前記粘土黒鉛ビレットスライダーを回転させるための前記環状スペーサ容積内の滑り面材料を更に含む、請求項９に記載のレールレスビレット電気誘導加熱システム。
【請求項１１】
前記少なくとも１つの誘導コイル内に配置された前記粘土黒鉛ビレットスライダーを挿入するまたは取り外すための前記環状スペーサ容積内の滑り面材料、または前記少なくとも１つの誘導コイルを移動させずに、前記粘土黒鉛ビレットスライダーの軸方向縦軸を中心として粘土黒鉛ビレットスライダーを回転させるための前記環状スペーサ容積内の滑り面材料を更に含む、請求項９に記載のレールレスビレット電気誘導加熱システム。
【請求項１２】
前記少なくとも１つの誘導コイルが、インラインマルチコイル誘導加熱システムにおける複数の誘導コイルを備え、前記複数の誘導コイルの各々における前記粘土黒鉛ビレットスライダーが、前記粘土黒鉛ビレットスライダーをその軸方向縦軸を中心として回転させるための前記環状スペーサ容積内の滑り面材料、または前記複数の誘導コイルの各々に配置された前記粘土黒鉛ビレットスライダーを挿入するまたは取り外すための環状スペーサ容積内の滑り面材料を更に含む、請求項９に記載のレールレスビレット電気誘導加熱システム。
【請求項１３】
前記粘土黒鉛ビレットスライダーが、前記少なくとも１つの誘導コイルと前記粘土黒鉛ビレットスライダーとの間に断熱を付与する、請求項７、８、１０、１１または１２のいずれか一項に記載のレールレスビレット電気誘導加熱システム。
【請求項１４】
前記ビレットスライダー組成物は、１５Ｗ／ｍ・Ｃを超えない熱伝導値を有する、請求項１３に記載のレールレスビレット電気誘導加熱システム。
【請求項１５】
熱間加工プロセスシステムにおいて、
レールレスビレット電気誘導加熱システムであって、
少なくとも１つの誘導コイルと、
前記少なくとも１つの誘導コイルに接続された少なくとも１つの交流電力源と、
前記少なくとも１つの誘導コイルの各々に配置された粘土黒鉛ビレットスライダーと
を備え、前記粘土黒鉛ビレットスライダーが前記少なくとも１つの誘導コイルから電気的に絶縁され、前記粘土黒鉛ビレットスライダーの内部表面領域が、前記少なくとも１つの誘導コイルを介して前記粘土黒鉛ビレットスライダーの内部表面領域に着座したビレットを目標熱間加工温度まで静的または連続的に加熱して前記少なくとも１つの誘導コイルからの出口で加熱されたビレットを形成するために、前記ビレットを移動させるためのビレットスライダー表面を形成する、レールレスビレット電気誘導加熱システムと、
前記加熱されたビレットを受け取って熱間加工製品を形成するための、熱間加工装置と
を含む、熱間加工プロセスシステム。
【請求項１６】
前記熱間加工装置が熱間鍛造装置を備える、請求項１５に記載の熱間加工プロセスシステム。
【請求項１７】
ビレット電気誘導加熱システムを形成する方法であって、
少なくとも１つの交流電力源に接続された少なくとも１つの誘導コイルを提供するステップと、
前記少なくとも１つの誘導コイルの各々の中に粘土黒鉛ビレットスライダーを挿入するステップであって、前記粘土黒鉛ビレットスライダーが、前記少なくとも１つの誘導コイルを介して内部スライダー表面に着座したビレットをスライドさせるための前記内部スライダー表面を備えた内部ビレット貫通開口部を有する、ステップと、
前記少なくとも１つの誘導コイル内に挿入された前記粘土黒鉛ビレットスライダーを前記少なくとも１つの誘導コイルから電気的に絶縁するステップと
を含む方法。
【請求項１８】
少なくとも、
炭素（Ｃ）３０〜４０重量％；
炭化ケイ素（ＳｉＣ）８〜１２重量％；
二酸化ケイ素（ＳｉＯ2）１５〜２５重量％；および
酸化アルミニウム（Ａｌ2Ｏ3）１０〜２０重量％
のビレットスライダー組成物から前記粘土黒鉛ビレットスライダーを形成するステップを更に含む、請求項１７に記載の方法。
【請求項１９】
総計で前記ビレットスライダー組成物の６重量％を超えない、好ましくは鉄、ホウ素、ナトリウムおよびカリウムの酸化物から選択される１つ以上の酸化物、総計で前記ビレットスライダー組成物の２重量％を超えない１つ以上のマグネシウム、コバルトおよびクロム化合物、および前記ビレットスライダー組成物の１重量％を超えない元素シリコンから前記ビレットスライダー組成物を形成するステップを更に含む、請求項１８に記載の方法。
【請求項２０】
熱間加工目標温度まで加熱されたビレットを熱間加工する方法であって、
少なくとも１つの誘導コイルを介して前記ビレットを前記熱間加工目標温度まで静的または連続的に誘導加熱して、前記少なくとも１つの誘導コイルの出口で加熱されたビレットを形成する際、粘土黒鉛ビレットスライダーの内面上で前記少なくとも１つの誘導コイルの入口から前記ビレットをスライドさせることによって、交流電流が供給される前記少なくとも１つの誘導コイル内に配置された前記粘土黒鉛ビレットスライダーを介して前記ビレットを移動するステップと、
前記少なくとも１つの誘導コイルの出口から前記加熱されたビレットを熱間加工装置に移送するステップと、
前記熱間加工装置内で前記加熱されたビレットを熱間加工して、製品を形成するステップと
を含む、方法。
【請求項２１】
前記熱間加工装置が熱間鍛造装置を備える、請求項２０に記載の方法。
【請求項２２】
少なくとも１つの誘導コイルと、
前記少なくとも１つの誘導コイルに接続された少なくとも１つの交流電力源と、
前記少なくとも１つの誘導コイル内の耐火物と、
内部に配置されたビレットを、前記耐火物とスライド接触させつつ前記少なくとも１つの誘導コイルを通って移動させるための粘土黒鉛ビレットキャリアと
を備える、レールレスビレット電気誘導加熱システム。